(57)【要約】【課題】患者又は血液の取り違え事故を防止すべく、ＩＣタグに採取された血液を識別するための情報を書き込む採血システムを提供する。【解決手段】採血システムは、採血管２、採血管外筒２０及びタグ書込装置３０を備えている。この採血システムにおいては、採血管外筒２０の採血管挿入部２２に採血管２を挿入し、採血管外筒２０の注射針装着部２４に装着された注射針２６の採血管挿入部２２の内部側の端部を採血管の蓋部６に貫通させることにより採血が行われる。ここで、採血が行われる際に、タグ書込装置３０からアンテナ２８を介してＩＣタグに対して検査センタ用ＩＤのデータ送信することにより、採血管の収容部内のＩＣタグ８に検査センタ用ＩＤが書き込まれる。【選択図】　図６
2004089503.tif 000002
【特許請求の範囲】
【請求項１】
一端が閉じ他端に開口部を有する筒状の収容部と、前記収容部を減圧した状態で前記開口部を閉じる蓋部とを備える採血管であって、
前記収容部内にＩＣタグを備えることを特徴とする採血管。
【請求項２】
前記ＩＣタグは、前記収容部に収容される血液の性状に影響を与えることがない素材によりコーティングされていることを特徴とする請求項１記載の採血管。
【請求項３】
前記素材は、前記収容部を形成する素材と同一の素材であることを特徴とする請求項２記載の採血管。
【請求項４】
一端に閉部を有し、他端に開口部を有する筒状の採血管挿入部と、前記閉部に着脱可能に装着された注射針とを備える採血管外筒であって、前記採血管挿入部の壁部にＩＣタグに対して情報の送受信を行うためのアンテナを備えることを特徴とする採血管外筒。
【請求項５】
前記アンテナは、前記採血管挿入部の壁内部に埋め込まれていることを特徴とする請求項４記載の採血管外筒。
【請求項６】
一端が閉じ他端に開口部を有する筒状の収容部と、前記収容部を減圧した状態で前記開口部を閉じる蓋部と、前記収容部内にＩＣタグとを備える採血管と、
一端に閉部を有し、他端に開口部を有する筒状の採血管挿入部と、前記閉部に着脱可能に装着された注射針と、前記採血管挿入部の壁部にＩＣタグに対して情報の送受信を行うためのアンテナとを備える採血管外筒とを備え、
前記採血管外筒の前記採血管挿入部に前記採血管を挿入し、前記注射針の前記採血管挿入部側の端部を、前記採血管の蓋部に貫通させることにより血液を採取する採血システムであって、
バーコードに記録されている情報を読み取るバーコードリーダと、
前記採血管外筒の採血管挿入部に前記採血管が挿入された際に、前記バーコードリーダにより読み取られた情報を、前記採血管外筒の壁部に備えられたアンテナを介して前記採血管の収容部内に備えられたＩＣタグに書き込むＩＣタグライタと
を備えることを特徴とする採血システム。
【請求項７】
前記ＩＣタグは、前記収容部に収容される血液の性状に影響を与えることがない素材によりコーティングされていることを特徴とする請求項６記載の採血システム。
【請求項８】
前記素材は、前記収容部を形成する素材と同一の素材であることを特徴とする請求項７記載の採血システム。
【請求項９】
前記アンテナは、前記採血管挿入部の壁内部に埋め込まれていることを特徴とする請求項６〜請求項８の何れか一項に記載の採血システム。
【請求項１０】
前記アンテナは、前記採血管外筒の前記採血管挿入部に前記採血管が挿入された場合に、該採血管の収容部内に備えられたＩＣタグに対して情報の送受信が可能となることを特徴とする請求項６〜請求項９の何れか一項に記載の採血システム。
【請求項１１】
血液を採取した各機関において用いられている識別情報を、前記血液の検査を依頼された検査機関において用いられる検査機関用識別情報に変換するための変換パターンを記憶する変換パターンテーブルと、
前記変換パターンテーブルを参照して、前記バーコードリーダにより読み取られた前記識別情報を前記検査機関用識別情報に変換する識別情報変換手段とを更に備え、
前記ＩＣタグライタは、前記識別情報変換手段により変換された前記検査機関用識別情報を前記採血管外筒の壁部に備えられたアンテナを介して前記採血管の収容部内に備えられたＩＣタグに書き込むことを特徴とする請求項６〜請求項１０の何れか一項に記載の採血システム。
【発明の詳細な説明】
【０００１】
【発明の属する技術分野】
この発明は、血液を採取する際に用いられる採血管、採血管外筒及び、該採血管及び該採血管外筒を用いた採血システムに関するものである。
【０００２】
【従来の技術】
従来、医療機関においては、患者から採取された血液を試験管等の容器に収容し、検査内容を記載した検査依頼書と共に検査を行う検査機関に搬送していた。そして、検査機関においては、検査依頼書に記載されている検査内容に基づいて検査を行っていた。
【０００３】
ここで、医療機関においては、血液がどの患者から採取されたものであるかを識別するため、患者の氏名や、患者毎に付与されている患者ＩＤ等を血液を収容した容器に付していた。例えば、患者の氏名や、患者毎に付与されている患者ＩＤを容器に直接記載したり、又は、患者の氏名等を記載したラベルを容器に貼り付けていた。
【０００４】
【発明が解決しようとする課題】
ところで、血液を採取した後に、採取された血液を収容した容器に患者氏名や患者ＩＤを直接記載したり、又は、患者氏名や患者ＩＤを記載したラベルを貼り付けている場合には、患者氏名の記載を誤ってしまい、患者の取り違えや血液の取り違え事故が生じる可能性がある。また、血液を採取する前に、予め容器に患者氏名を記載等している場合にも、採取した血液を収容する容器を取り違え、患者又は血液の取り違え事故が生じる可能性がある。更に、記載されている患者氏名等の一部が消え、記載されている文字が読みにくくなる場合もある。
【０００５】
この発明の課題は、患者又は血液の取り違え事故を防止すべく、採血を行った患者等を確実に識別できる採血管、該採血管と共に用いる採血管外筒及び、該採血管及び該採血管外筒を用いた採血システムを提供することである。
【０００６】
【課題を解決するための手段】
請求項１記載の採血管は、一端が閉じ他端に開口部を有する筒状の収容部と、前記収容部を減圧した状態で前記開口部を閉じる蓋部とを備える採血管であって、前記収容部内にＩＣタグを備えることを特徴とする。この請求項１記載の採血管によれば、収容部内にＩＣタグを備えているため、検査終了後にＩＣタグを回収して洗浄滅菌を施すことにより、容易にＩＣタグを再利用することができる。
【０００７】
また、請求項２記載の採血管は、前記ＩＣタグが、前記収容部に収容される血液の性状に影響を与えることがない素材によりコーティングされていることを特徴とする。この請求項２記載の採血管によれば、ＩＣタグが血液の性状に影響を与えない素材でコーティングされているため、ＩＣタグをコーティングしている素材により血液の検査結果に影響を与えることを防止することができる。
【０００８】
また、請求項３記載の採血管は、前記素材が前記収容部を形成する素材と同一の素材であることを特徴とする。この請求項３記載の採血管によれば、収容部を形成する素材と同一の素材でＩＣタグがコーティングされているため、収容部に収容される血液の性状に影響を与えることを確実に防止することができる。
【０００９】
また、請求項４記載の採血管外筒は、一端に閉部を有し、他端に開口部を有する筒状の採血管挿入部と、前記閉部に着脱可能に装着された注射針とを備える採血管外筒であって、前記採血管挿入部の壁部にＩＣタグに対して情報の送受信を行うためのアンテナを備えることを特徴とする。
【００１０】
また、請求項５記載の採血管外筒は、前記アンテナが、前記採血管挿入部の壁内部に埋め込まれていることを特徴とする。
【００１１】
この請求項４及び請求項５記載の採血管外筒によれば、採血管挿入部の壁部にＩＣタグに対して情報の送受信を行うためのアンテナを備えているため、採血を行う際にＩＣタグに対して情報の送受信を行うことができる。
【００１２】
また、請求項６記載の採血システムは、一端が閉じ他端に開口部を有する筒状の収容部と、前記収容部を減圧した状態で前記開口部を閉じる蓋部と、前記収容部内にＩＣタグとを備える採血管と、一端に閉部を有し、他端に開口部を有する筒状の採血管挿入部と、前記閉部に着脱可能に装着された注射針と、前記採血管挿入部の壁部にＩＣタグに対して情報の送受信を行うためのアンテナとを備える採血管外筒とを備え、前記採血管外筒の前記採血管挿入部に前記採血管を挿入し、前記注射針の前記採血管挿入部側の端部を、前記採血管の蓋部に貫通させることにより血液を採取する採血システムであって、バーコードに記録されている情報を読み取るバーコードリーダと、前記採血管外筒の採血管挿入部に前記採血管が挿入された際に、前記バーコードリーダにより読み取られた情報を、前記採血管外筒の壁部に備えられたアンテナを介して前記採血管の収容部内に備えられたＩＣタグに書き込むＩＣタグライタとを備えることを特徴とする。
【００１３】
この請求項６記載の採血システムによれば、採血管外筒に装着された注射針の一方の端部を患者の血管に刺し、採血管外筒の採血管挿入部側の注射針の端部を採血管の蓋部に貫通させることにより採血が行われる。そして、採血管外筒の採血管挿入部に採血管が挿入される際に、バーコードリーダにより読み取られた患者ＩＤ等の情報が採血管の収容部内に備えられたＩＣタグに書き込まれる。従って、ＩＣタグに書き込まれた採取された血液を識別するための情報により患者又は血液の取り違え事故を確実に防止することができる。
【００１４】
また、請求項７記載の採血システムは、前記ＩＣタグが前記収容部に収容される血液の性状に影響を与えることがない素材によりコーティングされていることを特徴とする。また、請求項８記載の採血システムは、前記素材が前記収容部を形成する素材と同一の素材であることを特徴とする。
【００１５】
この請求項７及び請求項８記載の採血システムによれば、採血管の収容部に収容される血液の性状に影響を与えることがない素材によりＩＣタグがコーティングされている。従って、採血管の収容部内にＩＣタグが備えられている場合であっても、血液の検査結果に影響を与えることがなく、従来の検査体制を変更することなく本採血システムを容易に導入することができる。
【００１６】
また、請求項９記載の採血システムは、前記アンテナが前記採血管挿入部の壁内部に埋め込まれていることを特徴とする。この請求項９記載の採血システムによれば、採血管外筒の採血管挿入部に採血管が挿入された場合に、採血管の収容部内に備えられているＩＣタグに確実に情報を書き込むことができる。
【００１７】
また、請求項１０記載の採血システムは、前記アンテナが前記採血管外筒の前記採血管挿入部に前記採血管が挿入された場合に、該採血管の収容部内に備えられたＩＣタグに対して情報の送受信が可能となることを特徴とする。
【００１８】
この請求項１０記載の採血システムによれば、採血管外筒の採血管挿入部に挿入されていない採血管、例えば、採血管外筒の周囲に置かれている他の採血管の収容部内に備えられたＩＣタグに情報が書き込まれてしまうことを防止することができる。
【００１９】
また、請求項１１記載の採血システムは、血液を採取した各機関において用いられている識別情報を、前記血液の検査を依頼された検査機関において用いられる検査機関用識別情報に変換するための変換パターンを記憶する変換パターンテーブルと、前記変換パターンテーブルを参照して、前記バーコードリーダにより読み取られた前記識別情報を前記検査機関用識別情報に変換する識別情報変換手段とを更に備え、前記ＩＣタグライタは、前記識別情報変換手段により変換された前記検査機関用識別情報を前記採血管外筒の壁部に備えられたアンテナを介して前記採血管の収容部内に備えられたＩＣタグに書き込むことを特徴とする。
【００２０】
この請求項１１記載の採血システムによれば、バーコードに記録されている識別情報をバーコードリーダを介して読み取り、変換パターンテーブルを参照して変換された検査機関用識別情報を採血管の収容部内に備えられたＩＣタグに書き込んでいる。従って、複数の医療機関のそれぞれにおいて採取された血液を検査機関に搬入している場合であっても、統一的な検査機関用識別情報に基づいて容易に血液の管理を行うことができる。
【００２１】
【発明の実施の形態】
以下、図面を参照して、この発明の実施の形態に係る採血システムについて説明する。
【００２２】
図１は、実施の形態に係る採血管の一例を示す図である。図１に示すように、採血管２は、一端が閉じ他端に開口部を有する円筒状の収容部４と、収容部４内を減圧した状態で開口部を閉じる蓋部６を備えている。また、収容部４の内部には、採取された血液がどの患者から採取されたものであるかを識別するための情報を記録するＩＣタグ８が収容されている。
【００２３】
図２は、実施の形態に係るＩＣタグの一例を示す図である。図２に示すように、ＩＣタグ８は、ＩＣタグ本体１２を備え、このＩＣタグ本体１２は、採血管２の収容部４を形成する素材と同一の素材からなるシート１０によりコーティングされている。例えば、採血管２の収容部４が、ポリエステルにより形成されている場合には、ポリエステルからなるシート１０によりＩＣタグ本体１２がコーティングされている。また、収容部４がポリエチレンにより形成されている場合にはポリエチレンからなるシート１０により、ポリプロピレンにより形成されている場合にはポリプロピレンからなるシート１０によりＩＣタグ本体１２がコーティングされている。
【００２４】
また、ＩＣタグ本体１２は、メモリを備えたＩＣチップ（図示せず）を備え、このＩＣチップには、ＩＣタグ８に対して送信された情報の受信を行う共に、メモリに記録されている情報の送信を行うアンテナ（図示せず）が接続されている。なお、ＩＣタグ１２本体には、非接触で情報の読み取り及び書き込みを行うことができるもの、例えば、ＲＦＩＤ（Ｒａｄｉｏ　Ｆｒｅｑｕｅｎｃｙ　Ｉｄｅｎｔｉｆｉｃａｔｉｏｎ）タグ等が用いられる。
【００２５】
図３は、実施の形態に係る採血管外筒の一例を示す図である。図３に示すように、この採血管外筒２０は、一端に閉部を有し、他端に開口部を有する円筒状の採血管挿入部２２を備えている。採血管挿入部２２の閉部には、注射針２６を着脱可能に装着することができる注射針装着部２４が設けられており、開口部には、採血時に指を掛けるためのフランジが設けられている。また、注射針２６は、注射針２６の一方の端部が注射針装着部２４を貫通して、採血管挿入部２２内に位置するように採血管外筒２０に装着される。また、採血管挿入部２２の壁内部の対向する２箇所に、ＩＣタグ８に対して情報の送受信を行うコイル状のアンテナ２８が埋め込まれている。
【００２６】
ここで、アンテナ２８がＩＣタグ８に対して情報の送受信を行うことができる通信可能距離は、一定の範囲に調整されている。即ち、採血管外筒２０の採血管挿入部２２に採血管２が挿入された場合に、採血管２の収容部４に収容されているＩＣタグ８に対して情報の送受信を行うことができる程度に通信距離が調整されている。
【００２７】
なお、採血は、採血管外筒２０に装着された注射針２６の採血管外筒の外部側の端部を患者の血管に刺した後、採血管外筒２０の採血管挿入部２２に採血管２を挿入することにより行われる。
【００２８】
図４は、実施の形態に係る採血システムのブロック構成図である。図４に示すように、採血システムはタグ書込装置３０とＩＣタグ８に対して情報の送受信を行うアンテナ２８を備えている。なお、アンテナ２８は、採血管外筒２０の採血管挿入部２２の壁内部に埋め込まれている（図３参照）。
【００２９】
また、図４に示すように、タグ書込装置３０は、このタグ書込装置３０におけるデータの制御を行うデータ制御部３２を備えている。このデータ制御部３２には、バーコードに記録されている情報を読み取るバーコードリーダ３４、バーコードリーダ３４を介して読み取られた情報をＩＣタグ８に書き込むＩＣタグライタ３６が接続されている。また、データ制御部３２には、バーコードリーダ３４を介して読み取られた情報等を記憶するデータ記憶部３８及び患者ＩＤ（識別情報）を、検査センタ用ＩＤ（検査機関用識別情報）に変換するためのＩＤ変換パターンを記憶したＩＤ変換テーブル４０が接続されている。
【００３０】
ＩＤ変換テーブル４０には、各医療機関において用いられている患者ＩＤを検査センタにおいて用いられる検査センタ用ＩＤに変換するためのＩＤ変換パターンが記憶されている。即ち、各医療機関においては、採取された血液を識別するための情報として、それぞれの医療機関において用いられている患者ＩＤを用いている。従って、検査を依頼された血液が複数の医療機関から搬入される検査センタにおいては、搬入された血液を適切に管理するために、医療機関において血液を識別するために用いられている患者ＩＤに代えて検査センタにおいて用いられる検査センタ用ＩＤを付与する必要がある。そのため、患者ＩＤを検査センタ用ＩＤに変換するためのＩＤ変換パターンがＩＤ変換テーブル４０に記憶されている。なお、ＩＤ変換テーブル４０に記憶される変換パターンには、患者ＩＤに医療機関毎に付与されている施設番号及び受付日を付加する変換パターン等が含まれている。
【００３１】
次に、図５のフローチャートを参照して実施の形態に係る採血システムにおける処理について説明する。
【００３２】
まず、採血管外筒２０の注射針装着部２４に注射針２６を装着し、採血管外筒２０に装着された注射針２６の外部側の端部を患者の血管に刺す。そして、バーコードに記録されている患者ＩＤを読み取り（ステップＳ１０）、読み取った患者ＩＤをデータ記憶部３８に記憶する（ステップＳ１１）。例えば、採血が行われる患者の手首に、患者を識別するための患者ＩＤを記録したバーコードを付したリストバンドが巻かれている場合には、患者の腕に巻かれているリストバンドに付されたバーコードに記録されている患者ＩＤをバーコードリーダ３４を介して読み取り、データ記憶部３８に記憶する。
【００３３】
次に、患者ＩＤを検査センタ用ＩＤに変換するために、ＩＤ変換テーブル４０に記憶されている変換パターンを参照する（ステップＳ１２）。例えば、医療機関Ａにおいては患者ＩＤとして、Ａ１２３のような４桁のコードを用いており、検査センタ用ＩＤとして、医療機関毎に付与されている施設番号及び血液の受付日を含む１２桁のコードを用いているとする。従って、このような場合には、ＩＤ変換テーブル４０に記憶されている変換パターンの中で、４桁のコードからなる患者ＩＤを１２桁のコードからなる検査センタ用ＩＤに変換する変換パターンを参照する。
【００３４】
次に、ステップＳ１２において参照された変換パターンに基づいて、データ記憶部３８に記憶されている患者ＩＤを検査センタ用ＩＤに変換する（ステップＳ１３）。即ち、参照されたＩＤ変換パターンに基づいて、例えば、医療機関Ａの４桁のコードからなる患者ＩＤに医療機関Ａを表す４桁のコードからなる施設番号及び４桁のコードで表される血液の受付日を付加し、１２桁のコードからなる検査センタ用ＩＤに変換する。
【００３５】
次に、ステップＳ１３において変換された検査センタ用ＩＤを、ＩＣタグライタ３６からアンテナ２８を介して送信する（ステップＳ１４）。即ち、アンテナ２８を介して採血管外筒２０の採血管挿入部２２の内部に検査センタ用ＩＤのデータを送信し、採血管挿入部２２に採血管２が挿入された際には、採血管２の収容部４に収容されているＩＣタグ８に検査センタ用ＩＤを書き込める状態とする。
【００３６】
次に、図６に示すように、採血管外筒２０の採血管挿入部２２に採血管２を挿入して、患者から血液を採取する。即ち、採血管外筒２０の採血管挿入部２２に、採血管挿入部２２の内部側の注射針２６の端部が蓋部６を貫通するまで採血管２を挿入する。ここで、採血管２の収容部４は、減圧した状態で蓋部６により開口部が閉じられている。従って、採血管挿入部２２の内部側の注射針２６の端部を蓋部６に貫通させることによって、圧力差により患者から血液が採取される。
【００３７】
また、採血を行うために採血管挿入部２２に採血管２が挿入された場合には、変換された検査センタ用ＩＤが採血管２の収容部４に収容されているＩＣタグ８に書き込まれる（ステップＳ１５）。即ち、アンテナ２８の通信可能距離は、採血管外筒２０の採血管挿入部２２に採血管２が挿入された場合に、採血管２の収容部４に収容されているＩＣタグ８に対して情報の送受信を行うことができる程度に調整されている。そのため、採血管挿入部２２に採血管２が挿入された際に、アンテナ２８を介してＩＣタグ８に対して検査センタ用ＩＤのデータが送信され、検査センタ用ＩＤが書き込まれる。
【００３８】
なお、採取された血液は、検査の依頼内容を記載した検査依頼書と共に検査センタに搬送される。検査センタにおいては、搬入された血液とその血液の検査依頼内容を記載した検査依頼書とが存在することを確認した後に、受付処理を行い、その後、検査依頼書に記載されている依頼内容に基づいて血液の検査を行う。
【００３９】
この実施の形態によれば、採血が行われている患者のリストバンド等から読み取られた患者ＩＤを変換した検査センタ用ＩＤが、採血管の収容部に収容されているＩＣタグに書き込まれている。従って、血液を採取された患者を識別するための情報を記録したＩＣタグが、採取された血液と共に採血管の収容部に収容されているため、患者又は採取された血液の取り違え事故等を適切に防止することができる。
【００４０】
また、この実施の形態によれば、採血管の収容部にＩＣタグが収容されているため、検査が行われた後に、採血管からＩＣタグを取り出し、必要な洗浄滅菌を施すことにより、容易にＩＣタグを再利用することができる。
【００４１】
また、この実施の形態によれば、採血管の収容部に収容されているＩＣタグが、採血管の収容部を形成している素材と同一の素材によりコーティングされている。そのため、血液の性状に影響を与えることがなく、従来の検査体制を変更せずに容易にこの実施の形態に係る採血システムを導入することができる。
【００４２】
また、この実施の形態によれば、採血管外筒の壁内部に埋め込まれているアンテナは、採血管外筒の採血管挿入部に採血管が挿入された際に、採血管の収容部に収容されているＩＣタグに対して情報の送受信が可能となるように通信距離が調整されている。従って、採血管外筒の周辺に用意されている採血管のＩＣタグに対しては、情報の送受信が行われることがない。そのため、採血を行うために採血管外筒の採血管挿入部に挿入された採血管のＩＣタグに対してのみ情報の書き込みを行うことができる。
【００４３】
また、この実施の形態によれば、各医療機関において患者に付されている患者ＩＤを、検査センタ用ＩＤに変換してＩＣタグに書き込んでいる。従って、血液を搬入された検査センタにおいては、ＩＣタグを用いて迅速、かつ、容易に血液の管理を行うことができる。
【００４４】
なお、上述の実施の形態に係る採血システムにおいては、バーコードに記録されている患者ＩＤをバーコードリーダを介して読み取り、検査センタ用ＩＤに変換してＩＣタグに書き込んでいるが、その他の情報を更にＩＣタグに書き込むようにしてもよい。例えば、タグ書込装置が通信を制御する通信制御部を更に備え、医療機関内に設置されている医療機関システムから送信される検査の依頼内容を示す検査依頼情報を受信し、受信した検査依頼情報をＩＣタグに書き込むようにしてもよい。この場合には、検査依頼書に記載される内容がＩＣタグに書き込まれているため、血液と検査依頼書とを一体として検査センタに搬送することができる。
【００４５】
また、上述の実施の形態に係る採血システムにおいては、採血管外筒の採血管挿入部に採血管が挿入された際に、採血管のＩＣタグに検査センタ用ＩＤが書き込まれているが、採血管外筒を用いることなく採血管のＩＣタグに検査センタ用ＩＤを書き込むようにしてもよい。例えば、採取された血液を収容している採血管に患者ＩＤを記録したバーコードが貼り付けられている場合には、まず、バーコードに記録されている患者ＩＤをバーコードリーダを介して読み取る。次に、読み取った患者ＩＤを検査センタ用ＩＤに変換し、ＩＣタグライタを介して採血管のＩＣタグに検査センタ用ＩＤを書き込むようにしてもよい。この場合には、医療機関においてはバーコードを用いて血液の管理を行っており、検査センタにおいてはＩＣタグを用いて血液の管理を行っている場合であっても、検査センタにおいては、搬入された血液の管理をＩＣタグを用いて円滑に行うことができる。
【００４６】
また、上述の実施の形態に係る採血管システムにおいては、患者のリストバンド等から読み取られた患者ＩＤを変換した検査センタ用ＩＤをＩＣタグに書き込んでいるが、血液の検査内容が記載された検査依頼書のＩＤをＩＣタグに書き込むようにしてもよい。例えば、検査依頼書に、検査依頼書を識別するための検査依頼書ＩＤを記録したバーコードが付されている場合には、バーコードリーダを介して検査依頼書に付されたバーコードに記録されている検査依頼書ＩＤを読み取り、ＩＣタグに書き込むようにしてもよい。
【００４７】
また、上述の実施の形態においては、採血管のＩＣタグを採血管を形成する素材と同一の素材でコーティングしているが、同一の素材に限らず、採血管に収容される血液の性状に影響を与えない素材、例えば、ＰＥＴ（ｐｏｌｙｅｔｈｙｌｅｎｅ　ｔｅｒｅｐｈｔｈａｌａｔｅ）等によりＩＣタグをコーティングするようにしてもよい。
【００４８】
【発明の効果】
この発明に係る採血管によれば、収容部内にＩＣタグを備えているため、採取された血液の検査を行った後に、ＩＣタグを回収し、洗浄滅菌を施すことによってＩＣタグを容易に再利用することができる。また、採取された血液を識別するための情報をＩＣタグに記録させることによって、ＩＣタグを用いて容易に血液の管理を行うことができる。
【００４９】
また、この発明に係る採血管外筒によれば、ＩＣタグに対して情報の送受信を行うためのアンテナを壁部に備えているため、採血を行う際にＩＣタグに対して情報の送受信を行うことができる。
【００５０】
また、この発明に係る採血システムによれば、採血管外筒の採血管挿入部に採血管を挿入した際に、バーコードリーダにより読み取られた情報が採血管の収容部内に備えられたＩＣタグに書き込まれている。従って、採血を行う際に、採取された血液を識別するための情報を、採取された血液が収容される採血管の収容部内に備えられたＩＣタグに書き込むことができ、患者又は血液の取り違え事故を確実に防止することができる。
【００５１】
また、採血管外筒の壁部に備えられているアンテナは、採血管外筒の採血管挿入部に採血管が挿入された場合に、採血管の収容部内に備えられているＩＣタグに対して情報の送受信が可能となる。そのため、患者から採取される血液を収容する採血管の収容部内に備えられているＩＣタグにのみ、血液を識別するための情報を書き込むことができる。
【００５２】
また、血液を採取する機関において用いられる識別情報を検査機関において用いられる検査機関識別情報に変換し、採血管の収容部内に備えられているＩＣタグに書き込んでいる。従って、検査機関においては、複数の機関から血液が搬入された場合であっても、統一的な検査機関識別情報に基づいて迅速、かつ、容易に血液の管理を行うことができる。
【図面の簡単な説明】
【図１】この発明の実施の形態に係る採血管の外観構成を示す図である。
【図２】この発明の実施の形態に係るＩＣタグの概略構成を示す図である。
【図３】この発明の実施の形態に係る採血管外筒の外観構成を示す図である。
【図４】この発明の実施の形態に係る採血システムのブロック構成図である。
【図５】この発明の実施の形態に係る採血システムによる処理を説明するためのフローチャートである。
【図６】この発明の実施の形態に係る採血システムによる採血の状態を示す図である。
【符号の説明】
２…採血管、４…収容部、６…蓋部、８…ＩＣタグ、１０…シート、１２…ＩＣタグ本体、２０…採血管外筒、２２…採血管挿入部、２４…注射針装着部、２６…注射針、２８…アンテナ、３０…タグ書込装置、３２…データ制御部、３４…バーコードリーダ、３６…ＩＣタグライタ、３８…データ記憶部、４０…ＩＤ変換テーブル。
【図１】
2004089503.tif 000003
【図２】
2004089503.tif 000004
【図３】
2004089503.tif 000005
【図４】
2004089503.tif 000006
【図５】
2004089503.tif 000007
【図６】
2004089503.tif 000008